(57)【要約】【課題】パネルまたは障子と網戸とを備えた開口部装置において、網戸の開閉操作の労力を省くことができる開口部装置を提供する。【解決手段】躯体１に設けられた開口部２と、少なくとも互いに平行な２つの枠材１３，１３を有し、これらの枠材１３，１３が開口部２から該開口部２に隣接する躯体１に設けられた収納部Ｓに渡って設置されているサッシ枠５と、枠材１３，１３に沿って摺動自在に設けられ、全開時には収納部Ｓに収納され、全閉時には開口部２を閉塞するガラスパネル３と、このガラスパネル３の戸先側の端部に連結され、ガラスパネル３が収納部Ｓに収納されるに伴って開口部２を閉塞し、ガラスパネル３が開口部２を閉塞するに伴って躯体１に設けられたケース１９に収納される網戸４とを備えている。【選択図】      図１
2005036449.tif 000002
【特許請求の範囲】
【請求項１】
躯体に設けられた開口部と、少なくとも互いに平行な２つの枠材を有し、これらの枠材が前記開口部から該開口部に隣接する前記躯体に設けられた収納部に渡って設置されているサッシ枠と、前記枠材に沿って摺動自在に設けられ、全開時には前記収納部に収納され、全閉時には前記開口部を閉塞するパネルまたは障子と、このパネルまたは障子の戸先側の端部に連結され、前記パネルまたは障子が前記収納部に収納されるに伴って前記開口部を閉塞し、前記パネルまたは障子が前記開口部を閉塞するに伴って前記躯体に設けられた網戸収納部に収納される網戸とを備えていることを特徴とする開口部装置。
【請求項２】
前記網戸は、ロール網戸または折りたたみ網戸であることを特徴とする請求項１に記載の開口部装置。
【請求項３】
前記網戸は、前記パネルまたは障子に着脱自在に取り付けられていることを特徴とする請求項１または請求項２に記載の開口部装置。
【発明の詳細な説明】
【０００１】
【発明の属する技術分野】
本発明は、パネルまたは障子と網戸とを備えた開口部装置に関する。
【０００２】
【従来の技術】
従来、玄関等のドア用小窓を開閉可能にすることにより、防犯効果を保ちつつ、採光または通風を可能にするドア用小窓の開閉装置が知られている。そして、このようなドア用小窓の開閉装置として、ドアの開口部を摺動自在に開閉するドア板、ガラス板および網戸をそれぞれ、これらを保持する保持部（サッシ枠）に沿って、駆動装置により、別々に開閉させるものが提案されている。（例えば、特許文献１参照）。
【０００３】
【特許文献１】
特開平９−３２４１９号公報
【０００４】
【発明が解決しようとする課題】
しかしながら、この従来の開口部装置にあっては、駆動装置がドア板、ガラス板および網戸を別々に開閉させるので、開閉操作を別々に行う必要があり、開閉操作が煩雑であるという問題がある。
【０００５】
本発明は、上記事情に鑑みて為されたもので、パネルまたは障子と網戸とを備えた開口部装置において、網戸の開閉操作の労力を省くことができる開口部装置を提供することを目的とする。
【０００６】
【課題を解決するための手段】
上記目的を達成するために、請求項１に記載の開口部装置は、躯体に設けられた開口部と、少なくとも互いに平行な２つの枠材を有し、これらの枠材が前記開口部から該開口部に隣接する前記躯体に設けられた収納部に渡って設置されているサッシ枠と、このサッシ枠に前記枠材に沿って摺動自在に設けられ、全開時には前記収納部に収納され、全閉時には前記開口部を閉塞するパネルまたは障子と、このパネルまたは障子の戸先側の端部に連結され、前記パネルまたは障子が前記収納部に収納されるに伴って前記開口部を閉塞し、前記パネルまたは障子が前記開口部を閉塞するに伴って前記躯体に設けられた網戸収納部に収納される網戸とを備えていることを特徴とする。
【０００７】
請求項２に記載の開口部装置は、請求項１に記載の発明において、前記網戸は、ロール網戸または折りたたみ網戸であることを特徴とする。
【０００８】
請求項３に記載の開口部装置は、請求項１または請求項２に記載の発明において、前記網戸は、前記パネルまたは障子に着脱自在に取り付けられていることを特徴とする。
【０００９】
【発明の実施の形態】
以下、本発明の実施の形態を図面を参照して説明する。
図１乃至図５は、本発明の実施の形態に係る開口部装置を示す図であって、図１は縦断面図、図２は図１のＡ−Ａ線に沿う断面図、図３は図１のＢ−Ｂ線に沿う断面図、図４は室内側から見た駆動装置部を示す図、図５はガイドピースを示す図である。なお、第１図および第３図において、駆動部の図示を省略している。
【００１０】
本実施の形態の開口部装置は、躯体１に設けられた開口部（窓）２と、この開口部２を開閉するガラスパネル（パネル）３と、このガラスパネル３の戸先側の端部に取り付けられた網戸４と、開口部２からこの開口部２の下側の躯体１に設けられた収納部Ｓに渡って設置され、ガラスパネル３を保持するサッシ枠５と、収納部Ｓに設けられ、ガラスパネル３を上下移動させる駆動装置６とを備えている。
【００１１】
サッシ枠５は、躯体１を構成する外壁１１と内装１２との間に設置されている。このサッシ枠５は、アルミニウム合金からなる左右の縦枠（枠材）１３、１３と下枠１４とを備えている。左右の縦枠１３、１３の上部は、躯体１の開口部２の左右の側部に配置されている。サッシ枠５の上部には、曲面形状の室外側額縁１５および室内側額縁１６が設けられており、これにより室内外を連通する窓空間が形成される。室内側額縁１６の下側額縁１６ａの下側のサッシ枠５の室内側端部には、断熱パネル１７が設置されている。
サッシ枠５の下枠１４の室外側には、室外側が低くなるような傾斜が形成され、さらに室外側の隅部に、外壁１１下端の隙間を通して室外に連通する排水口１８が形成されており、これにより開口部２からサッシ枠５内に侵入した雨水を室外に排水して、室内への漏水を防止している。
室内側額縁１５および室内側額縁１６の上側の外壁１１と内装１２との間には、ガラスパネル３の上方の位置に、網戸４を収納するケース（網戸収納部）１９が設置されている。
【００１２】
ガラスパネル３は、框がないガラスのみからなるものである。このガラスパネル３は、室外側額縁１５と室内側額縁１６との間の隙間を、サッシ枠５の左右枠材１３、１３に沿って上下に摺動移動し、全閉時には、室外側額縁１５と室内側額縁１６との間の隙間に位置して開口部２を閉塞し、全開時には、開口部２の下側の収納部Ｓに収納される。ガラスパネル３は、収納部Ｓのうち、室内外方向においてはサッシ枠５の室外側の端部に収納される。
【００１３】
網戸４は、ロール網戸であって、その下端部がガラスパネル３の上端部（戸先側の端部）に取り付けられており、ガラスパネル３が上昇するに伴って開口部２の上部の躯体１内に設置された巻き取り部材２０に巻き取られてケース１９内に収納され、他方ガラスパネル３が下降するのに伴って、室外側額縁１５と室内側額縁１６との間の隙間に位置して開口部２を閉塞するようになっている。
【００１４】
なお、ガラスパネル３は下降してガラスパネル３が開いたときに、網戸４がない方がよい場合もあるので、図６に示すように、網戸４をガラスパネル３に着脱自在に取り付けるようにしてもよい。すなわち、ガラスパネル３の上端部の両端部にそれぞれ、挿通孔２１を有する係止部２２を設ける一方、網戸４の下端部に固定された網戸用巾木２４の両端部にそれぞれ、係止部２２の挿通孔２１に挿脱可能なピン２５を備えた連結金具２６を設ける。そして、各連結金具２６の各ピン２５をそれぞれ、各係止部２２の各挿通孔２１に挿入および抜き出すことにより、網戸４をガラスパネル３に取り付けおよび取り外す。
【００１５】
また、図７に示すように、網戸４の下端部にゴム等の弾性材からなる巾木２７を固定し、この巾木２７の溝２８内にガラスパネル３の上端部を挿入して、巾木２７の弾性力により溝２８内にガラスパネル３を挟持するようにしてもよい。網戸４をガラスパネル３から取り外す場合には、両者を強く引っ張ることにより、溝２８内からガラスパネル３は離脱する。
【００１６】
また、図８に示すように、ヒンジを構成する挟持片３１、３２の一方の挟持片３１を、網戸４の下端部に固定する一方、他方の挟持片３２をピン３３を中心に回動可能にするとともに、ねじりコイルばね等の付勢手段（図示せず）により挟持片３２を挟持片３１側に付勢する。そして、挟持片３３の操作部３４に操作して、挟持片３３を開いてガラスパネル３の上端部を挟持片３１と挟持片３２との間に挿入した後、操作部から手を離して挟持片３１と挟持片３２とでガラスパネル３の上端部を挟持させる。網戸４をガラスパネル３から取り外す場合には、この逆の手順による。
【００１７】
ガラスパネル３を上下移動させる駆動装置６は、取付部材４１を備えている。この取付部材４１は、横断面形状が大括弧形状でかつレール状の２つの縦部材４２、４３が左右方向に間隔をおいてかつ室内外方向に少しずれて配置され、これらの縦部材４２、４３が上下に間隔をおいて配置された２本のアングル状の連結部材４４、４４により連結されている。より詳しく説明すると、各連結部材４４の一方の端部の垂直部が縦部材４３の室内側に固定され、他方の端部の水平部がＬ字板状のステー４７の水平部の端部に固定され、このステー４７の垂直部が縦部材４２に固定されている。
【００１８】
この取付部材４１は、開口部２の下側のサッシ枠５内に、次のようにして取り付けられている。
すなわち、縦部材４２の下端部の室内側および縦部材４３の下端部の室内側にはそれぞれ、ガイドピース５１、５１が互いに室内外方向の向きを逆にして固定されている。このガイドピース５１には、挿通孔５２が設けられている。この挿通孔５２の上部は方形板状に形成され、下部は円錐台状に形成されている。各ガイドピース５１の各挿通孔５２が、サッシ枠５の下枠１４に立設された支持板５４に上側から挿入されている。
【００１９】
また、上側のステー４７の水平部の端部、上側の連結部材４４の水平部および断熱パネル１７に固定されたＬ字板状のステー５７の水平部が上からこの順に重ねられ、そしてねじ（固定具）５８が上側からねじ込まれ、これにより上側のステー４７と上側の連結部材４４とがステー５７を介して断熱パネル１７に取り付けられている。
したがって、ねじ５８を上側から緩めて、ステー５７から上側のステー４７および上側の連結部材４４を取り外し、その後取付部材４１を上方に持ち上げて、支持板５４からガイドピース５１の挿通孔５２を離脱させることにより、取付部材４１をサッシ枠５および断熱パネル１７から分離することができる。
【００２０】
ガラスパネル３の下端部の中央部には、室内側から水平にねじ７２がねじ込まれて、取付金具７１がガラスパネル３を挟持している。この取付金具７１の水平部に、Ｌ字板状のステー７４の水平部が下側から当てられ、そしてねじ７６が上側からねじ込まれて、取り付け金具７１にステー７４が取り付けられている。このステー７４の垂直部には、摺動部材７７がねじ７８により固定されている。したがって、ねじ７６を上側から緩めて、取付金具７１からステー７４を取り外すことにより、ガラスパネル３から摺動部材７７を分離することができる。
この摺動部材７７は、サッシ枠５の中央部の縦部材４２に上下方向に摺動自在に嵌合されている。したがって、縦部材４２は、摺動部材７７の上下移動のガイド部として機能する。
【００２１】
摺動部材７７を上下移動させる駆動部９１は、通常用いられているものである。すなわち、摺動部材７７が無端のワイヤ（線状体）９２の所定箇所に固定されている。このワイヤ９２は、溝車９３を出て縦部材４２の上端に至り、縦部材４２に沿って下降し、その後縦部材４２の下端を出て、溝車９３に戻るように、溝車９３と縦部材４２との間に架け渡されている。ワイヤ９２は溝車９３の溝に巻回されている。溝車９３は、モータ９４により正逆回転される。そして、モータ９４が正回転すると、ワイヤ９２が縦部材４２を下から上に向かって移動し、これに伴って摺動部材７７が縦部材４２にガイドされて上方に移動し、これによりガラスパネル３が上に移動して開口部２を閉塞するとともに、網戸４が巻き取り部材２０に巻き取られてケース１９に収納される。他方、モータ９４が逆回転すると、ワイヤ９２が縦部材４２を上から下に向かって移動し、これに伴って摺動部材７７が縦部材４２にガイドされて下方に移動し、これによりガラスパネル３が下に移動して開口部２の下側の収納部Ｓに収納されるとともに、網戸４が開口部２を閉塞する。モータ９４と電源とを結ぶ電気ケーブルは、途中でコネクタ接続となっており、このコネクタ部を切り離すことにより、モータ９４を電源から切り離すことができる。
【００２２】
この開口部装置にあっては、網戸４の下端部がガラスパネル３の上端部（戸先側の端部）に取り付けられており、ガラスパネル３が上昇するに伴って開口部２の上部の躯体１内に設置された巻き取り部材２０に巻き取られてケース１９に収納され、一方ガラスパネル３が下降するのに伴って、室外側額縁１５と室内側額縁１６との間の隙間に位置して開口部２を閉塞するので、網戸４の開閉操作を自動化することができ、開閉操作の労力を省くことができる。
【００２３】
また、網戸４にロール網戸を用いているので、網戸４をコンパクトに躯体１内に収納することができる。また、網戸４を屈曲させて縮めて開口部２の隅に収納する場合などに比べて見栄えが良い。
また、図６乃至図８に示すように、網戸４をガラスパネル３に着脱自在に取り付けるようにすれば、開口部２に網戸４を用いない使用態様を選択することが可能になる。
【００２４】
また、ガラスパネル３を上下移動させる駆動装置６が、取付部材４１に、摺動部材７７およびこの摺動部材７７を上下移動させる駆動部９１が取り付けられて構成されている。また、ねじ７６を上側から取り外すことにより、ガラスパネル３から摺動部材７７を分離することができる。また、ねじ５８を上側から取り外すとともに、取付部材４１を上方に持ち上げて、支持板５４からガイドピース５１の挿通孔５２を離脱させることにより、取付部材４１をサッシ枠５および断熱パネル１７から分離することができる。したがって、室内側額縁１６の下側額縁１６ａを取り外し、生じた開口部分からドライバ等の工具を開口部２の下側のサッシ枠５内に挿入して、ねじ７６を緩めてガラスパネル３から摺動部材７７を分離するとともに、ねじ５８を緩めてステー５７から上側のステー４７および上側の連結部材４４を取り外し、その後取付部材４１を上方に持ち上げて、支持板５４からガイドピース５１の挿通孔５２を離脱させることにより、取付部材４１をサッシ枠５および断熱パネル１７から分離することができる。すなわち、駆動装置６をユニットとして、開口部２の下側の収納部Ｓから取り出すことができる。しかも、作業者は室内側から作業をして室内側に駆動装置６を取り出すことができる。よって、室内側から容易にこのユニット化された駆動装置を取り出すことができるので、駆動装置６のメンテナンスを容易に行うことができる。
【００２５】
また、取付部材４１の下端部のガイドピース５１の挿通孔５２が、サッシ枠５の下枠１４に立設された支持板５４に上側から挿入されるとともに、取付部材４１の上側のステー４７と上側の連結部材４４とが、断熱パネル１７のステー５７に上側からねじ５８により取り付けられているので、ねじ５８を上側から取り外すとともに、取付部材４１を上方に持ち上げて、支持板５４からガイドピース５１の挿通孔５２を離脱させることにより、取付部材４１をサッシ枠５および断熱パネル１７から容易に分離することができる。
【００２６】
なお、上記の実施の形態では、ガラスパネル３を開口部２の下側に収納し、網戸４を上側に収納するようにしたが、これに代えて、ガラスパネル３を開口部２の上側に収納し、網戸４を下側に収納するようにしてもよい。さらには、上記の実施の形態では、ガラスパネル３および網戸４を縦方向に移動させたが、例えば横方向などの他の方向に移動させるようにしてもよい。
【００２７】
また、上記の実施の形態では、ガラスパネル３を用いたが、本発明では、これに代えて、面材等の他のパネルを用いることもでき、さらには障子を用いることもできる。
また、上記実施の形態では、網戸４としてロール網戸を用いたが、これに代えて、折りたたみ網戸やその他の網戸を用いることもできる。
【００２８】
【発明の効果】
以上説明したように、請求項１に記載の開口部装置によれば、網戸がパネルまたは障子の戸先側の端部に連結され、パネルまたは障子が収納部に収納されるに伴って開口部を閉塞し、パネルまたは障子が開口部を閉塞するに伴って網戸収納部に収納されるので、網戸の開閉操作を自動化することができ、開閉操作の労力を省くことができる。
【００２９】
請求項２に記載の開口部装置によれば、請求項１に記載の発明と同様の効果を奏するとともに、網戸がロール網戸または折りたたみ網戸であるので、網戸をコンパクトに躯体内に収納することができるとともに、網戸を開口部から完全に移動させることができ、開口部に網戸が残らずに済むため、開口部の見栄えが良い。
【００３０】
請求項３に記載の開口部装置によれば、請求項１または請求項２に記載の発明と同様の効果を奏する。さらに、網戸がパネルまたは障子に着脱自在に取り付けられているので、開口部に網戸を用いない使用態様を選択することができるようになる。
【図面の簡単な説明】
【図１】本発明の実施の形態に係る開口部装置を示す図であって、縦断面図である。
【図２】図１のＡ−Ａ線に沿う断面図である。
【図３】図１のＢ−Ｂ線に沿う断面図である。
【図４】室内側から見た駆動装置部を示す図である。
【図５】ガイドピースを示す図であって。（ａ）は平面図、（ｂ）は正面図である。
【図６】ガラスパネルと網戸との取付部の例を示す斜視図である。
【図７】ガラスパネルと網戸との取付部の他の例を示す斜視図である。
【図８】ガラスパネルと網戸との取付部のさらに他の例を示す斜視図である。
【符号の説明】
１    躯体
２    開口部
３    ガラスパネル（パネル）
４    網戸
５    サッシ枠
１３    縦枠（枠材）
１９    ケース（網戸収納部）
Ｓ    収納部
【図１】
2005036449.tif 000003
【図２】
2005036449.tif 000004
【図３】
2005036449.tif 000005
【図４】
2005036449.tif 000006
【図５】
2005036449.tif 000007
【図６】
2005036449.tif 000008
【図７】
2005036449.tif 000009
【図８】
2005036449.tif 000010